(57)【特許請求の範囲】
【請求項１】
ワイヤレス通信のための方法であって、
リピータのドナーアンテナを介してリモート信号を受信することと、
前記受信されたリモート信号を増幅することによって増幅信号を生成することと、
チャネルフィードバックを推定するために前記増幅信号の変換に基づいて補助パイロット信号を生成することと、ここで、前記補助パイロット信号は、前記増幅信号とは無相関である、
前記補助パイロット信号を前記増幅信号と結合することによって、送信するための送信信号を生成することと、
前記リピータのサーバアンテナを介して前記送信信号を送信することと
を備える方法。
【請求項２】
前記変換は、前記補助パイロット信号を生成するための前記増幅信号の周波数変換を備える、請求項１に記載の方法。
【請求項３】
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、ここで、シフトの前後の前記信号は、時間領域において無相関になる、請求項２に記載の方法。
【請求項４】
前記サブキャリア周波数間隔は１５ｋＨｚである、請求項３に記載の方法。
【請求項５】
前記変換は、前記補助パイロット信号を生成するための前記増幅信号の非線形変換を備える、請求項１に記載の方法。
【請求項６】
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
をさらに備える、請求項１に記載の方法。
【請求項７】
前記増幅信号および前記補助パイロット信号は、時間領域相関を有しない形で生成される、請求項１に記載の方法。
【請求項８】
前記増幅信号および前記補助パイロット信号は、同じ帯域幅を有する形で生成される、請求項１に記載の方法。
【請求項９】
前記増幅信号および前記補助パイロット信号は、安定した帯域幅を有する形で生成される、請求項１に記載の方法。
【請求項１０】
安定した帯域幅を有する形で前記生成することは、前記生成された信号が前記リピータを通して受信されることに応答したものである、請求項９に記載の方法。
【請求項１１】
前記補助パイロット信号の帯域幅は、前記増幅信号の帯域幅によって変わるように生成される、請求項１に記載の方法。
【請求項１２】
前記補助パイロット信号は、前記増幅信号の電力スペクトル密度によって変わる電力スペクトル密度を有する形で生成される、請求項１に記載の方法。
【請求項１３】
前記補助パイロット信号は、前記増幅信号の時間領域サイドローブより小さい時間領域サイドローブを有する形で生成される、請求項１に記載の方法。
【請求項１４】
時間領域スクランブリングにより前記補助パイロット信号を処理することをさらに備える、請求項１に記載の方法。
【請求項１５】
前記時間領域スクランブリングのシーケンスの期間は前記増幅信号のシンボル期間と一致する、請求項１４に記載の方法。
【請求項１６】
前記時間領域スクランブリングシーケンスは、前記増幅信号において使用される前記時間領域スクランブリングシーケンスのうちの少なくとも１つに直交する、請求項１５に記載の方法。
【請求項１７】
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、請求項１６に記載の方法。
【請求項１８】
前記時間領域スクランブリングはシーケンス［＋ｃ＋ｃ−ｃ−ｃ］を備え、ここで、ｃは定数である、請求項１４に記載の方法。
【請求項１９】
ワイヤレス通信のための装置であって、
処理システムを備え、前記処理システムは、
リピータのドナーアンテナを介してリモート信号を受信することと、
前記受信されたリモート信号の増幅に基づいて増幅信号を生成することと、
チャネルフィードバックを推定するために前記増幅信号の変換に基づいて補助パイロット信号を生成することと、ここで、前記補助パイロット信号は、前記増幅信号とは無相関である、
前記補助パイロット信号と前記増幅信号との結合に基づいて送信信号を生成することと、
前記リピータのサーバアンテナを介して前記送信信号を送信することと
を行うように構成される、装置。
【請求項２０】
前記変換は、前記補助パイロット信号を生成するための前記増幅信号の周波数変換を備える、請求項１９に記載の装置。
【請求項２１】
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、ここで、シフトの前後の前記信号は、時間領域において無相関になる、請求項２０に記載の装置。
【請求項２２】
前記サブキャリア周波数間隔は１５ｋＨｚである、請求項２１に記載の装置。
【請求項２３】
前記変換は、前記補助パイロット信号を生成するための前記増幅信号の非線形変換を備える、請求項１９に記載の装置。
【請求項２４】
前記処理システムは、
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
を行うようにさらに構成される、請求項１９に記載の装置。
【請求項２５】
前記増幅信号および前記補助パイロット信号は、時間領域相関を有しない形で生成される、請求項１９に記載の装置。
【請求項２６】
前記増幅信号および前記補助パイロット信号は、同じ帯域幅を有する形で生成される、請求項１９に記載の装置。
【請求項２７】
前記増幅信号および前記補助パイロット信号は、安定した帯域幅を有する形で生成される、請求項１９に記載の装置。
【請求項２８】
前記増幅信号および前記補助パイロット信号は、前記生成された送信信号が前記リピータを通して受信されることに応答して安定した帯域幅を有する形で生成される、請求項２７に記載の装置。
【請求項２９】
前記補助パイロット信号の帯域幅は、前記増幅信号の帯域幅によって変わるように生成される、請求項１９に記載の装置。
【請求項３０】
前記補助パイロット信号は、前記増幅信号の電力スペクトル密度によって変わる電力スペクトル密度を有する形で生成される、請求項１９に記載の装置。
【請求項３１】
前記補助パイロット信号は、前記増幅信号の時間領域サイドローブより小さい時間領域サイドローブを有する形で生成される、請求項１９に記載の装置。
【請求項３２】
前記処理システムは、時間領域スクランブリングにより前記補助パイロット信号を処理するようにさらに構成される、請求項１９に記載の装置。
【請求項３３】
前記時間領域スクランブリングのシーケンスの期間は前記増幅信号のシンボル期間と一致する、請求項３２に記載の装置。
【請求項３４】
前記時間領域スクランブリングシーケンスは、前記増幅信号において使用される前記時間領域スクランブリングシーケンスのうちの少なくとも１つに直交する、請求項３３に記載の装置。
【請求項３５】
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、請求項３４に記載の装置。
【請求項３６】
前記時間領域スクランブリングはシーケンス［＋ｃ＋ｃ−ｃ−ｃ］を備え、ここで、ｃは定数である、請求項３２に記載の装置。
【請求項３７】
ワイヤレス通信のための装置であって、
リピータのドナーアンテナを介してリモート信号を受信するための手段と、
前記受信されたリモート信号の増幅に基づいて増幅信号を生成するための手段と、
チャネルフィードバックを推定するために前記増幅信号の変換に基づいて補助パイロット信号を生成するための手段と、ここで、前記補助パイロット信号は、前記増幅信号とは無相関である、
前記補助パイロット信号と前記増幅信号との結合に基づいて送信信号を生成するための手段と、
前記リピータのサーバアンテナを介して前記送信信号を送信するための手段と
を備える装置。
【請求項３８】
前記変換は、前記補助パイロット信号を生成するための前記増幅信号の周波数変換を備える、請求項３７に記載の装置。
【請求項３９】
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、ここで、シフトの前後の前記信号は、時間領域において無相関になる、請求項３８に記載の装置。
【請求項４０】
前記サブキャリア周波数間隔は１５ｋＨｚである、請求項３９に記載の装置。
【請求項４１】
前記変換は、前記補助パイロット信号を生成するための前記増幅信号の非線形変換を備える、請求項３７に記載の装置。
【請求項４２】
前記送信された信号の複製を前記リピータの前記ドナーアンテナを介して受信するための手段と、
周波数変換によってリアルタイムで、前記送信された信号の前記受信された複製から前記補助パイロット信号を抽出するための手段と、
前記抽出された補助パイロット信号に基づいてチャネルフィードバックを推定するための手段と
をさらに備える、請求項３７に記載の装置。
【請求項４３】
前記増幅信号および前記補助パイロット信号は、時間領域相関を有しない形で生成される、請求項３７に記載の装置。
【請求項４４】
前記増幅信号および前記補助パイロット信号は、同じ帯域幅を有する形で生成される、請求項３７に記載の装置。
【請求項４５】
前記増幅信号および前記補助パイロット信号は、安定した帯域幅を有する形で生成される、請求項３７に記載の装置。
【請求項４６】
前記増幅信号および前記補助パイロット信号は、前記生成された送信信号が前記リピータを通して受信されることに応答して安定した帯域幅を有する形で生成される、請求項４５に記載の装置。
【請求項４７】
前記補助パイロット信号の帯域幅は、前記増幅信号の帯域幅によって変わるように生成される、請求項３７に記載の装置。
【請求項４８】
前記補助パイロット信号は、前記増幅信号の電力スペクトル密度によって変わる電力スペクトル密度を有する形で生成される、請求項３７に記載の装置。
【請求項４９】
前記補助パイロット信号は、前記増幅信号の時間領域サイドローブより小さい時間領域サイドローブを有する形で生成される、請求項３７に記載の装置。
【請求項５０】
時間領域スクランブリングにより前記補助パイロット信号を処理するための手段をさらに備える、請求項３７に記載の装置。
【請求項５１】
前記時間領域スクランブリングのシーケンスの期間は前記増幅信号のシンボル期間と一致する、請求項５０に記載の装置。
【請求項５２】
前記時間領域スクランブリングシーケンスは、前記増幅信号において使用される前記時間領域スクランブリングシーケンスのうちの少なくとも１つに直交する、請求項５１に記載の装置。
【請求項５３】
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、請求項５２に記載の装置。
【請求項５４】
前記時間領域スクランブリングはシーケンス［＋ｃ＋ｃ−ｃ−ｃ］を備え、ここで、ｃは定数である、請求項５０に記載の装置。
【請求項５５】
コンピュータ可読媒体を備えるコンピュータプログラム製品であって、前記コンピュータ可読媒体は、
リピータのドナーアンテナを介してリモート信号を受信することと、
前記受信されたリモート信号の増幅に基づいて増幅信号を生成することと、
チャネルフィードバックを推定するために前記増幅信号の変換に基づいて補助パイロット信号を生成することと、ここで、前記補助パイロット信号は、前記増幅信号とは無相関である、
前記補助パイロット信号と前記増幅信号との結合に基づいて送信信号を生成することと、
前記リピータのサーバアンテナを介して前記送信信号を送信することと
を装置に行わせるように実行可能なコードを備える、コンピュータプログラム製品。
【請求項５６】
前記変換は、前記補助パイロット信号を生成するための前記増幅信号の周波数変換を備える、請求項５５に記載のコンピュータプログラム製品。
【請求項５７】
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、ここで、シフトの前後の前記信号は、時間領域において無相関になる、請求項５６に記載のコンピュータプログラム製品。
【請求項５８】
前記サブキャリア周波数間隔は１５ｋＨｚである、請求項５７に記載のコンピュータプログラム製品。
【請求項５９】
前記変換は、前記補助パイロット信号を生成するための前記増幅信号の非線形変換を備える、請求項５５に記載のコンピュータプログラム製品。
【請求項６０】
前記コンピュータ可読媒体は、
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
を前記装置に行わせるように実行可能なコードをさらに備える、請求項５５に記載のコンピュータプログラム製品。
【請求項６１】
前記増幅信号および前記補助パイロット信号は、時間領域相関を有しない形で生成される、請求項５５に記載のコンピュータプログラム製品。
【請求項６２】
前記増幅信号および前記補助パイロット信号は、同じ帯域幅を有する形で生成される、請求項５５に記載のコンピュータプログラム製品。
【請求項６３】
前記増幅信号および前記補助パイロット信号は、安定した帯域幅を有する形で生成される、請求項５５に記載のコンピュータプログラム製品。
【請求項６４】
前記増幅信号および前記補助パイロット信号は、前記生成された送信信号が前記リピータを通して受信されることに応答して安定した帯域幅を有する形で生成される、請求項６３に記載のコンピュータプログラム製品。
【請求項６５】
前記補助パイロット信号の帯域幅は、前記増幅信号の帯域幅によって変わるように生成される、請求項５５に記載のコンピュータプログラム製品。
【請求項６６】
前記補助パイロット信号は、前記増幅信号の電力スペクトル密度によって変わる電力スペクトル密度を有する形で生成される、請求項５５に記載のコンピュータプログラム製品。
【請求項６７】
前記補助パイロット信号は、前記増幅信号の時間領域サイドローブより小さい時間領域サイドローブを有する形で生成される、請求項５５に記載のコンピュータプログラム製品。
【請求項６８】
前記コンピュータ可読媒体は、時間領域スクランブリングにより前記補助パイロット信号を処理することを前記装置に行わせるように実行可能なコードをさらに備える、請求項５５に記載のコンピュータプログラム製品。
【請求項６９】
前記時間領域スクランブリングのシーケンスの期間は前記増幅信号のシンボル期間と一致する、請求項６８に記載のコンピュータプログラム製品。
【請求項７０】
前記時間領域スクランブリングシーケンスは、前記増幅信号において使用される前記時間領域スクランブリングシーケンスのうちの少なくとも１つに直交する、請求項６９に記載のコンピュータプログラム製品。
【請求項７１】
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、請求項７０に記載のコンピュータプログラム製品。
【請求項７２】
前記時間領域スクランブリングはシーケンス［＋ｃ＋ｃ−ｃ−ｃ］を備え、ここで、ｃは定数である、請求項６８に記載のコンピュータプログラム製品。
【発明の詳細な説明】
【技術分野】
【０００１】
本開示は、一般に通信システムに関し、より詳細には、ワイヤレス通信システムにおけるリピータパイロット信号(repeater pilot signal)生成を促進するためのシステムおよび方法に関する。
【背景技術】
【０００２】
ワイヤレス通信システムは、電話、ビデオ、データ、メッセージング、およびブロードキャストなどの様々な電気通信サービスを提供するために広く展開されている。一部の従来型のワイヤレス通信システムは、利用可能なシステムリソース（たとえば、帯域幅、送信電力）を共有することによって複数のユーザとの通信をサポートすることが可能な多元接続技術を使用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））がある。
【０００３】
ワイヤレス通信システムにおいて、多元接続技術は、異なるワイヤレスデバイスが都市、国家、地域、および地球規模で通信することを可能にする共通プロトコルを与えるために様々な電気通信規格において利用されている。これらのワイヤレス多元接続通信システムは、複数のワイヤレス端末のための通信を同時にサポートし得る。各端末は、順方向リンクおよび逆方向リンク上での信号伝送によって１つまたは複数の基地局と通信する。順方向リンクまたはダウンリンク（ＤＬ）とは、基地局から端末への通信リンクを指し、逆方向リンクまたはアップリンク（ＵＬ）とは、端末から基地局への通信リンクを指す。通信リンクは、単入力単出力、多入力単出力、または多入力多出力（ＭＩＭＯ）システムを介して確立され得る。
【０００４】
一般に、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は１つの第３世代（３Ｇ）携帯電話技術である。ＵＴＲＡＮ（ＵＭＴＳ地上波無線アクセスネットワーク）は、リアルタイム回線交換（ＣＳ）からインターネットプロトコル（ＩＰ）ベースパケット交換（ＰＳ）まで多くの異なるトラフィックタイプを搬送し得るＵＭＴＳ無線アクセスネットワークにおけるノードＢと無線ネットワークコントローラ（ＲＮＣ）とを指すための用語である。ＵＴＲＡＮは、ＵＥ（ユーザ機器）とコアネットワークとの間の接続を提供にする。ＵＴＲＡＮは基地局を備え、基地局はノードＢデバイスおよび／またはＲＮＣデバイスと呼ばれることがある。ＲＮＣデバイスは、１つまたは複数のノードＢデバイスに制御機能を与える。典型的な実装形態は、複数のノードＢデバイスにサービスしている中央局に配置された別個のＲＮＣを有するが、ノードＢとＲＮＣは同じデバイスとすることができる。ＲＮＣおよびその対応するノードＢは、無線ネットワークサブシステム（ＲＮＳ）と呼ばれることがある。ＵＴＲＡＮには２つ以上のＲＮＳが存在する場合がある。
【０００５】
新生の電気通信規格の一例はＬｏｎｇ  Ｔｅｒｍ  Ｅｖｏｌｕｔｉｏｎ（ＬＴＥ）である。ＬＴＥシステムは、発展型ＵＴＲＡ（ＥＵＴＲＡ：Evolved UTRA）および発展型ＵＴＲＡＮ（ＥＵＴＲＡＮ：Evolved UTRAN）規格シリーズに記載されている。ＬＴＥは、３ＧＰＰによって公表されたＵＭＴＳモバイル規格の拡張セットを提供している。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを利用し、アップリンク（ＵＬ）上ではＳＣ−ＦＤＭＡを利用し、多入力多出力（ＭＩＭＯ）アンテナ技術を利用して他のオープン規格とより良く統合するように設計されている。
【０００６】
しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００７】
本開示の態様によれば、ワイヤレス通信のための方法は、リピータのドナーアンテナを介してリモート信号を受信することと、受信されたリモート信号を増幅することによって増幅信号を生成することと、チャネルフィードバックを推定するために増幅信号の変換によって補助パイロット信号(an auxiliary pilot signal)を生成することであって、増幅信号とは実質的に無相関である補助パイロット信号を生成することと、補助パイロット信号を増幅信号と結合することによって、送信するための送信信号を生成することとを備える。
【０００８】
本開示の態様によれば、ワイヤレス通信のための装置は、リピータのドナーアンテナを介してリモート信号を受信することと、受信されたリモート信号を増幅することによって増幅信号を生成することと、チャネルフィードバックを推定するために増幅信号の変換によって補助パイロット信号を生成することであって、増幅信号とは実質的に無相関(uncorrelated)である補助パイロット信号を生成することと、補助パイロット信号を増幅信号と結合することによって、送信するための送信信号を生成することとを行うように構成された処理システムを備える。
【０００９】
本開示の態様によれば、ワイヤレス通信のための装置は、リピータのドナーアンテナを介してリモート信号を受信するための手段と、受信されたリモート信号を増幅することによって増幅信号を生成するための手段と、チャネルフィードバックを推定するために増幅信号の変換によって補助パイロット信号を生成するための手段であって、増幅信号とは実質的に無相関である補助パイロット信号を生成するための手段と、補助パイロット信号を増幅信号と結合することによって、送信するための送信信号を生成するための手段とを備える。
【００１０】
本開示の態様によれば、コンピュータプログラム製品は、リピータのドナーアンテナを介してリモート信号を受信することと、受信されたリモート信号を増幅することによって増幅信号を生成することと、チャネルフィードバックを推定するために増幅信号の変換によって補助パイロット信号を生成することであって、増幅信号とは実質的に無相関である補助パイロット信号を生成することと、補助パイロット信号を増幅信号と結合することによって、送信するための送信信号を生成することとを装置に行わせるように実行可能なコードを備えるコンピュータ可読媒体を備える。
【図面の簡単な説明】
【００１１】
【図１Ａ】本開示の態様による、ネットワークアーキテクチャの一実施形態を示す図。
【図１Ｂ】本開示の態様による、ワイヤレス通信システムの一実施形態を示す図。
【図２】本開示の態様による、リピータのための一実施形態を示す図。
【図３Ａ】本開示の態様による、ワイヤレス通信システムのためのリピータを備える装置のハードウェア実装を示す図。
【図３Ｂ】本開示の態様による、処理システムを採用する装置のためのハードウェア実装形態の一実施形態を示す図。
【図４】本開示の態様による、ワイヤレス通信のための方法を示すフロー図。
【図５】本開示の一態様による、装置の機能を示す図。
【発明を実施するための形態】
【００１２】
添付の図面に関して以下に示される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素が図の形式で示される。
【００１３】
様々な装置および方法に関して電気通信システムのいくつかの態様が本明細書で提示される。これらの装置および方法が、以下の発明を実施するための形態において説明され、（「要素」と総称される）様々なブロック、モジュール、構成要素、回路、ステップ、プロセス、アルゴリズムなどによって添付の図面において示される。これらの要素は、電子ハードウェア、コンピュータソフトウェア、またはそれらの任意の組合せを利用して実装され得る。そのような要素がハードウェアとして実装されるか、ソフトウェアとして実装されるかは、特定の適用例および全体的なシステムに課された設計制約に依存する。
【００１４】
例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体には、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびに、コンピュータによってアクセスされ読み取られ得るソフトウェアおよび／または命令を記憶するための任意の他の適切な媒体が含まれる。本開示の態様によれば、コンピュータ可読媒体は、処理システムの内部に存在するか、処理システムの外部にあるか、または処理システムを含む複数のエンティティにわたって分散され得る。コンピュータ可読媒体はコンピュータプログラム製品において具現化され得る。例として、コンピュータプログラム製品はパッケージング材料中にコンピュータ可読媒体を含み得る。当業者なら、特定の適用例および全体的なシステムに課された全体的な設計制約に応じて、本開示全体にわたって提示される記載の機能をどのようにしたら最も良く実装することができるかを認識されよう。
【００１５】
本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために利用され得る。「ネットワーク」および「システム」という用語は、しばしば互換的に利用される。ＣＤＭＡネットワークは、汎用地上波無線アクセス（ＵＴＲＡ：Universal Terrestrial Radio Access）、ＣＤＭＡ２０００などの無線技術を実装することができる。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。明快のために、本技法のいくつかの態様について以下ではＬＴＥに関して説明し、以下の説明の大部分でＬＴＥ用語を利用する。
【００１６】
本開示の態様によれば、シングルキャリア周波数分割多元接続（ＳＣ−ＦＤＭＡ）は、シングルキャリア変調と周波数領域等化(frequency domain equalization)とを利用する技術である。ＳＣ−ＦＤＭＡは、ＯＦＤＭＡシステムと同様の性能と、本質的に同じ全体的な複雑さとを有する。ＳＣ−ＦＤＭＡ信号は、それの固有のシングルキャリア構造のために、より低いピーク対平均電力比（ＰＡＰＲ）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、または発展型ＵＴＲＡにおけるアップリンク多元接続方式に関する実用的な前提である。
【００１７】
本開示の態様によれば、ワイヤレス多元接続通信システムが、複数のワイヤレス端末の通信を同時にサポートするように構成される。各端末は、順方向リンクおよび逆方向リンク上での伝送によって１つまたは複数の基地局と通信する。順方向リンクまたはダウンリンク（ＤＬ）とは、基地局から端末への通信リンクを指し、逆方向リンクまたはアップリンク（ＵＬ）とは、端末から基地局への通信リンクを指す。この通信リンクは、単入力単出力システム、多入力単出力システム、または多入力多出力（ＭＩＭＯ）システムを介して確立され得る。
【００１８】
本開示の態様によれば、ＭＩＭＯシステムは、データ伝送に複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得る（ここでＮS≦ｍｉｎ｛ＮT，ＮR｝である）。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００１９】
本開示の態様によれば、ＭＩＭＯシステムは時分割複信（ＴＤＤ）システムと周波数分割複信（ＦＤＤ）システムとをサポートする。たとえば、ＴＤＤシステムでは、順方向および逆方向リンク送信が同一周波数領域上で行われるので、相反定理(reciprocity principle)による逆方向リンクチャネルからの順方向リンクチャネルの推定が可能である。これにより、複数のアンテナがアクセスポイントで利用可能なとき、アクセスポイントは順方向リンク上で送信ビームフォーミング利得(beamforming gain)を抽出する(extract)ことが可能になる。
【００２０】
本明細書ではモバイルデバイスに関する本開示の様々な態様について説明する。いくつかの態様では、モバイルデバイスは、システム、加入者ユニット、加入者局、移動局、モバイル、モバイルデバイス、セルラーデバイス、マルチモードデバイス、リモート局、リモート端末、アクセス端末、ユーザ端末、ユーザエージェント、ユーザデバイス、またはユーザ機器などと呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００２１】
図面を参照しながら本開示の様々な態様について説明する。以下の記述では、説明の目的で、１つまたは複数の態様の完全な理解を与えるために多数の具体的な詳細を記載する。ただし、様々な態様は、これらの具体的な詳細なしに実施できることは明白であろう。他の例では、これらの態様の説明を円滑にするために、よく知られている構造およびデバイスが図の形式で示される。
【００２２】
図１Ａに、本開示の態様による、様々な装置を採用するネットワークアーキテクチャ１００を示す図を示す。一実装形態では、ネットワークアーキテクチャ１００は、ＬＴＥネットワークアーキテクチャを備えることがあり、発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを備え得る。ＥＰＳ１００は他のアクセスネットワークと相互接続するように構成され得るが、簡単のために、それらのエンティティ／インターフェースは図示されていない。図１Ａを参照すると、ＥＰＳは、パケット交換（ＰＳ）サービスを提供されるように構成される。しかしながら、当業者なら容易に諒解するように、本開示全体にわたって提示される様々な概念は、回線交換（ＣＳ）サービスを提供するネットワークに拡張され得る。
【００２３】
一実装形態では、ＥＰＳ１００は、カバレージを拡張するためにリピータ(a repeater)１０３を含むことができる。リピータ１０３などの１つまたは複数のリピータの使用は、個人または宅内のカバレージが拡張される状況下で増加し得る。一例では、リピータ１０３は、リピータ１０３がデータを復号しないことに伴って、受信された信号（使用可能な信号ならびに雑音および干渉を含む）を増幅するように動作可能な物理層デバイスを備えることができる。リピータ１０３の状態は、Ｅ−ＵＴＲＡＮ１０４のｅノードＢ１０６にもＵＥ１０２にも通信されないことがある。一動作実装形態では、リピータ１０３が最大出力電力状態にあるが、ＵＥ１０２の出力電力が最大ではない場合に、ＵＥ１０２の電力が増加すると、リピータ１０３が飽和状態になり得る。別の動作実装形態では、Ｅ−ＵＴＲＡＮ１０４において受信された反復信号は、復号可能ではないことがあり、この反復信号により、Ｅ−ＵＴＲＡＮ１０４はＵＥ１０２に電力を上げるよう要求する。
【００２４】
いくつかの実装形態では、リピータの性能は、たとえば、最大増幅（利得）および最大出力電力などの１つもしくは複数のパラメータによって制限されること、またはかかるパラメータに依存することがある。リピータは、動的利得制御を使用するように動作可能であってよく、上記のパラメータ制約を踏まえて利得を最大化するように信号増幅を調整し得る。増幅率の判定は、時間がかかることがあり、したがって、増幅が適用される時間の前の受信電力に基づくことがあり、利得は、自己干渉の影響を制御するように適合され得る。
【００２５】
一実装形態では、Ｅ−ＵＴＲＡＮ１０４は、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、Ｘ２インターフェース（すなわち、バックホール）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２６】
図１Ａを参照すると，ｅノードＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００２７】
図１Ｂに、本開示の態様による、ワイヤレス通信システム１５０の一実施形態を示す図を示す。一実装形態では、ワイヤレス通信システム１５０は、多元接続ワイヤレス通信システムを備える。ワイヤレス通信システム１５０は、１つまたは複数のＵＥデバイス１６６、１７２と、少なくとも１つのリピータ（Ｒ）デバイス１７８と、少なくとも１つの基地局デバイス（ＢＳ）１５２と、少なくとも１つのコアネットワーク（ＣＮ）１８０とを備えることができる。
【００２８】
ＢＳ１５２は、一実装形態では、複数のアンテナグループを備えるアクセスポイント（ＡＰ）を備え、たとえば、あるアンテナグループはアンテナ１５４、１５６を含み、別のアンテナグループはアンテナ１５８、１６０を含み、別のアンテナグループはアンテナ１６２、１６４を含む。図２を参照すると、２つのアンテナがアンテナグループごとに示されているが、本開示の範囲を逸脱することなく、より多いまたはより少ないアンテナがアンテナグループごとに利用されてよい。
【００２９】
ＵＥ１６６は、一実装形態では、アンテナ１６２、１６４のうちのいずれか１つと通信しているアクセス端末（ＡＴ）を備え、アンテナ１６２、１６４のうちの少なくとも１つは、リピータ１７８を介して順方向リンクまたはダウンリンク（ＤＬ）１７０ａ、１７０ｂでアクセス端末１６６に情報を送信し、リピータ１７８を介して逆方向リンク(reverse link)またはアップリンク（ＵＬ）１６８ａ、１６８ｂでＵＥ１６６から情報を受信する。リピータ１７８は、一実装形態では、リピータの機能に従った形で信号を受信し、受信された信号を増幅し、増幅信号(amplified signal)を送信するように構成された通信デバイスを備える。
【００３０】
ＵＥ１７２は、一実装形態では、アンテナ１５６、１５８のうちのいずれか１つと通信しているアクセス端末（ＡＴ）を備え、アンテナ１５６、１５８のうちの少なくとも１つは、順方向リンクまたはＤＬ１７６でＵＥ１７２に情報を送信し、逆方向リンクまたはＵＬ１７４でＵＥ１７２から情報を受信する。
【００３１】
本開示の一態様では、周波数分割複信（ＦＤＤ）システムにおいて、通信リンク１６８ａ、１６８ｂ、１７０ａ、１７０ｂ、１７４、および１７６は、通信のための異なる周波数を利用し得る。たとえば、ＤＬ１７０ａ、１７０ｂは、ＵＬ１６８ａ、１６８ｂによって利用される周波数とは異なる周波数を利用し得る。
【００３２】
本開示の一態様では、各アンテナグループおよび／またはアンテナが通信するように構成されたエリアは、基地局のセクタと呼ばれることがある。一例では、各アンテナグループは、基地局によってカバーされるエリアのセクタ内にある任意のＵＥと通信するように構成され得る。
【００３３】
順方向リンクまたはＤＬ１７０ａ、１７０ｂ、１７６で通信するとき、ＢＳ１５２の送信アンテナはビームフォーミングを利用して、それぞれ異なるＵＥ１６６、１７２に関して順方向リンクまたはＤＬ１７０ａ、１７０ｂ、１７６の信号対雑音比（ＳＮＲ）を改善することができる。たとえば、ＢＳ１５２などの基地局がビームフォーミングを利用して、そのカバレージを通してランダムに散乱したＵＥ１６６、１７２などのＵＥに送信する場合には、基地局がそのＵＥすべてに単一のアンテナを通して送信する場合よりも、近隣セル中のＵＥにもたらす干渉が小さくなり得る。
【００３４】
様々な実装形態では、基地局は、ＵＥとの通信に使用される固定局でもよく、アクセスポイント（ＡＰ）、ノードＢ（ＮＢ）、発展型ノードＢ（ｅノードＢもしくはｅＮＢ）、または何らかの他の用語で呼ばれることもある。ＵＥは、アクセス端末（ＡＴ）、ワイヤレス通信デバイス、端末、または何らかの他の用語で呼ばれることがある。その上、基地局は、マクロセルアクセスポイント、フェムトセルアクセスポイント、ピコセルアクセスポイントなどとすることができる。リピータは、基地局またはユーザ機器として構成され得る。
【００３５】
様々な実施形態では、本明細書で説明するように、１つもしくは複数のセグメント、または１つもしくは複数の拡張キャリアが標準キャリア（regular carrier）にリンクされて複合帯域幅（composite bandwidth）が生じることがあり、ユーザ機器は複合帯域幅により、基地局に情報を送信すること、および／または基地局から情報を受信することができる。
【００３６】
本開示の一態様では、基地局１５２は、たとえばアップリンク（ＵＬ）１８４および／またはダウンリンク（ＤＬ）１８６などの１つまたは複数の通信経路を介してコアネットワーク（ＣＮ）１８０と通信するように構成される。ＣＮ１８０は、ワイヤレス通信システム１５０によってつながれたユーザに様々なサービスを提供する通信ネットワークの一部を備えることができる。ＣＮ１８０は、メッシュトポロジ(a mesh topology)を介して様々なサブネットワーク間で情報を交換するための様々な経路を提供する通信機能を指し得る。ＣＮ１８０は、バックボーンネットワークと呼ばれることがある。本開示全体にわたって提示される様々な概念は、幅広い様々な電気通信システム、ネットワークアーキテクチャ、および通信規格にわたって実施され得る。
【００３７】
図２に、本開示の態様による、順方向リンクまたはダウンリンク（ＤＬ）送信を有する、すなわち、基地局２２５（たとえば、ノードＢ（ＮＢ）または発展型ノードＢ（ｅＮＢ））からのリモート信号(a remote signal)１４０がモバイルデバイス２３０（たとえば、ユーザ機器（ＵＥ））に向けられる、リピータ２１０のための環境２００を示す図を示す。基地局２２５とモバイルデバイス２３０との間の経路２２７に沿った非反復信号が、モバイルデバイス２３０において受信される有効な音声および／またはデータ通信のために十分な信号強度を与えない場合、リピータ２１０が環境２００において利用され得る。利得（Ｇ）と遅延（Δ）とをもつリピータ２１０は、ドナーアンテナ(a donor antenna)２１５上で基地局２２５から受信されたリモート信号１４０を、サーバアンテナ２２０を使用してモバイルデバイス２３０に反復するように構成され得る。リピータ２１０は、基地局２２５からドナーアンテナ２１５を通して受信された信号を増幅し、サーバアンテナ２２０を通してモバイルデバイス２３０に送信するための順方向リンクまたはダウンリンク（ＤＬ）回路を含む。リピータ２１０は、モバイルデバイス２３０からの信号を増幅し、基地局２２５に送信するための逆方向リンクまたはアップリンク（ＵＬ）回路をも含み得る。リピータ２１０では、リモート信号ｓ（ｔ）１４０は入力信号として受信され、リモート信号ｓ（ｔ）１４０は反復または増幅信号ｙ（ｔ）１４２として反復される。
【００３８】
本開示の一態様では、リピータ２１０の利得（Ｇ）は、ドナーアンテナ２１５とサーバアンテナ２２０との間の隔離によって限定され得る。利得（Ｇ）が著しく大きい場合、リピータ２１０は、信号漏れ(signal leakage)のために不安定になることがあり、この信号漏れは、フィードバック経路２２２によって示されるように、一方のアンテナ（たとえば、サーバアンテナ２２０）から送信された信号の一部分が他方のアンテナ（たとえば、ドナーアンテナ２１５）によって受信されるときの現象を指す。干渉消去がなければ、リピータ２１０は、通常動作の一部としてフィードバック信号（すなわち、漏れ信号）を増幅することがあり、増幅されたフィードバック信号がサーバアンテナ２２０によって送信されることがある。信号漏れおよび高いリピータ利得による増幅されたフィードバック信号の反復送信は、リピータ不安定性(repeater instability)をもたらし得る。
【００３９】
全二重同一チャネルリピータ(full duplex co-channel repeaters)における自己干渉(self-interference)の消去の目的上、フィードバックチャネル推定を支援するために、送信される信号（すなわち、増幅信号または反復信号）に追加のパイロット信号（すなわち、補助パイロット信号(auxiliary pilot signal)）が追加され得る。本開示の態様によれば、補助パイロット信号は、次の１つまたは複数の特性を備え得る。補助パイロット信号は、リピータに知られている。補助パイロット信号には、増幅される信号との時間領域相関(time domain correlation)がほとんどまたはまったくない。補助パイロット信号は、増幅される信号とほぼ同じ帯域幅を有する。増幅される信号が可変電力スペクトル密度(variable power spectral density)を有し、かつ／または増幅される信号が複数の可能な非連続帯域幅クラスタ(non-contiguous bandwidth clusters)を有する場合、補助パイロット信号の電力スペクトル密度は、増幅される信号の電力スペクトル密度に対する確定した関係を有することになる。たとえば、補助パイロット信号は、いくつかの状況における線形スケーリングを除いて、増幅される信号とほぼ同じ電力スペクトル密度を有し得る。したがって、本開示の態様は、補助パイロット信号として増幅される信号の変換バージョンまたは変形バージョンを使用することを実現する。
【００４０】
図３Ａに、本開示の態様による、ワイヤレス通信システムのためのリピータ３２０を備える装置のハードウェア実装を示す図を示す。リピータ３２０は、信号を受信し、受信された信号を増幅し、増幅信号を送信するように構成される。たとえば、リピータ３２０は、受信回路３３２を通して受信アンテナ３３０（たとえば、ドナーアンテナ、たとえば図２のドナーアンテナ２１５など）上で信号を受信する。一実装形態では、受信された信号は、反復されるリモート信号（たとえば、リモート信号１４０など）を備え、リピータ３２０の受信アンテナ３３０と送信アンテナ３４０（たとえば、サーバアンテナ、たとえば図２のサーバアンテナ２２０など）との間のフィードバックチャネルから生じるフィードバック信号（たとえば、フィードバック信号など）を含み得る。リピータ３２０において、少なくとも、受信された信号のリモート信号成分は、利得Ｇを有する増幅器３３８によって増幅される。増幅器３３８は、リピータ３２０から送信回路３４６および送信アンテナ３４０を介して送信される増幅信号を生成するように構成される。増幅信号は、送信される前に遅延回路３４２を介して遅延値（Δ）だけ遅延し得る。図３Ａに示すように、加算器３４４は、増幅器回路３３８からの増幅信号を補助パイロット信号生成回路３５０からの補助パイロット信号に追加または結合する。加算器３４４は記号的に示されており、様々な実装形態では、補助パイロット信号を増幅信号に追加または結合するために適切な回路が利用され得ることを諒解されたい。
【００４１】
一実施形態では、リピータ３２０は随意に、エコー消去回路３３４を介したエコー消去有りまたは無しで実装され得る。リピータ３２０がエコー消去を備えているとき、エコー消去回路３３４は、受信された信号から望ましくないフィードバック信号を消去するために、増幅器３３８の前に設けられ得る。リピータ３２０は、フィードバックチャネルを推定するためのチャネル推定ブロックおよび増幅器３３８の利得を制御するための利得制御ブロックなどの他の制御回路を備えることができる。リピータ３２０のこれらの制御回路および様々な他の制御回路は、説明を簡略化するために図３Ａに示されない。とはいえ、リピータ３２０は、完全なリピータ動作を実現するために１つまたは複数の他の要素および／または構成要素を含み得ることを理解されたい。
【００４２】
リピータ３２０では、増幅信号が送信アンテナ３４０を介して送信される前に、リピータ通信を可能にするために増幅信号に送信メッセージ信号が追加され得る。増幅信号および送信メッセージ信号は結合され、送信アンテナ３４０を介して送信されるように送信回路３４６に提供され得る。送信回路３４６は、１つまたは複数のフィルタおよび／またはドライバ回路を含み得る。送信メッセージ信号は、低電力拡散シーケンス(a low power spreading sequence)を備えることがあり、増幅信号の電力レベルを大きく下回る電力レベルを備え得る。低電力送信メッセージ信号はリピータ３２０によって、送信回路３４６および送信アンテナ３４０を介して送信され得る。
【００４３】
本開示の一態様では、図３Ａにおいて構成されるように、送信信号(transmit signal)は加算器３４４を介して生成され、増幅信号と補助パイロット信号との結合を備え、送信信号は送信回路３４６を介して送信アンテナ３４０により送信される。一実装形態では、補助パイロット信号生成回路３５０は、増幅信号の変換または変形として補助パイロット信号を生成するように構成される。全二重同一チャネルリピータにおける自己干渉の消去の目的上、フィードバックチャネル推定(feedback channel estimation)を支援するために、送信される信号（すなわち、増幅信号または反復信号）に追加のパイロット信号（すなわち、補助パイロット信号）が追加され得る。
【００４４】
本開示の態様によれば、補助パイロット信号生成回路３５０は、１つまたは複数の望ましい特性を有する補助パイロット信号を生成するように構成され得る。たとえば、補助パイロット信号はリピータに知られている。別の例では、補助パイロット信号には、増幅信号との時間領域相関がほとんどまたはまったくない。別の例では、補助パイロット信号は、増幅信号とほぼ同じ帯域幅を有する。さらに別の例では、増幅信号が可変電力スペクトル密度を有し、かつ／または増幅信号が複数の可能な非連続帯域幅クラスタを有する場合、補助パイロット信号の電力スペクトル密度は、増幅信号の電力スペクトル密度に対する確定した関係を有し得る。たとえば、補助パイロット信号は、いくつかの状況における線形スケーリングを除いて、増幅信号とほぼ同じ電力スペクトル密度を有し得る。したがって、本開示の態様は、補助パイロット信号として増幅信号の変換バージョンまたは変形バージョンを使用することを実現する。さらなる範囲が本明細書において提供される。
【００４５】
一実装形態では、リピータ３２０は、受信された信号の電力を検出すること、受信された信号の電力の変化を検出すること、および／または、たとえば、制御信号を増幅器３３８に提供することによって、信号を送信する前に、検出された電力変化に基づいて受信された信号の増幅を調整すること、を行うように構成された検出回路を備えることができる。検出回路はまた、エコー消去された受信信号または受信信号のいずれかを入力信号として受信するように、また入力信号を処理して、受信信号において提供され得る低電力メッセージ信号を検出し識別するように構成され得る。検出されたメッセージ信号は、受信メッセージ信号と呼ばれることがあり、リピータ３２０によって利用されて、適切であるかまたは望ましい軽減戦略が開始され得る。たとえば、メッセージ信号が低電力拡散シーケンスであるとき、当業者によく知られている技法が利用されることで、受信信号中に埋め込まれた低電力拡散シーケンスの検出が確実になり得る。リピータ３２０の検出回路は、リピータ間通信を促進するために他の同様に構築されたリピータとともにマルチリピータ環境に配置され得る。場合によっては、リピータ３２０は、メッセージ信号を送信することができ、リピータ３２０が他のリピータからのメッセージ信号を検出する必要はないことがある。この場合には、検出回路は任意であると考えられ、したがって省略され得る。ただし、受信機回路３３２は、検出回路または少なくとも検出回路の機能を備えるように構成され得る。
【００４６】
一実装形態では、メッセージ信号は、リピータ３２０の識別情報、リピータ３２０の動作特性および／またはマルチリピータ環境におけるリピータが使用する様々な他の有用な情報を符号化することができる。一例では、メッセージ信号は、リピータ３２０を識別するための低電力拡散シーケンス(a low power spreading sequence)を備えることができる。他の例では、メッセージ信号は、リピータ３２０の動作特性に関係する情報を符号化する。たとえば、メッセージ信号は、リピータ３２０のリピータ利得レベルおよび／またはリピータ３２０が他の近接リピータから受け取る電力レベルを符号化することができる。メッセージ信号は、リピータ３２０の電力増幅器ヘッドルームの値を符号化するように構成され得る。場合によっては、メッセージ信号において電力増幅器ヘッドルーム情報を提供することは、エンドユーザワイヤレス通信デバイスと通信する際の利点を提供し、それによりエンドユーザワイヤレス通信デバイスが適切な電力レベルを使用してリピータ３２０に信号を送信できるようにする。
【００４７】
図３Ｂに、本開示の態様による、メモリ３６５を有する処理システム３７４を採用する装置３６０のためのハードウェア実装形態の一実施形態を示す図を示す。処理システム３７４は、アナログデバイス、デジタルデバイス、またはアナログ／デジタルデバイスを備えることができ、バス３６２によって概略的に表されるバスアーキテクチャを用いて実装され得る。バス３６２は、処理システム３７４の特定の適用例および設計制約に応じて、任意の数の相互接続バスおよびブリッジを含み得る。バス３６２は、プロセッサ３６４によって概略的に表される１つまたは複数のプロセッサと、コンピュータ可読媒体３６６によって概略的に表されるコンピュータ可読媒体とを含む様々な回路を互いにリンクするように構成される。バス３６２はまた、たとえば、タイミングソース、周辺機器、電圧調整器、および電力管理回路など、様々な他の回路をリンクし得るが、これらの回路は当技術分野において知られており、したがって、これ以上説明しない。バスインターフェース３６８は、バス３６２と利得デバイスと呼ばれることがあるトランシーバ３７０との間のインターフェースを提供する。トランシーバ３７０は、伝送媒体を介して様々な他の装置と通信（信号の送受信を含む）するための手段を与える。一実装形態では、装置３６０の性質に応じて、ユーザインターフェース３７２（たとえば、キーパッド、ディスプレイ、スピーカー、マイクロフォン、ジョイスティック）が随意に与えられ得る。
【００４８】
本開示の態様によれば、プロセッサ３６４は、バス３６２とメモリ３６５上および／またはコンピュータ可読媒体３６６上に記憶されたソフトウェアの実行を含む全般的処理とを管理するように構成され得る。ソフトウェアは、プロセッサ３６４によって実行されたとき、処理システム３７４に、特定の装置のための本明細書で説明する様々な機能、処理、および／またはアルゴリズムを実行させる。コンピュータ可読媒体３６６はまた、ソフトウェアを実行するときにプロセッサ３６４によって操作されるデータを記憶するために利用され得る。プロセッサ３６４はまた、トランシーバ３７０を制御してアナログおよび／またはデジタル処理（エコー消去、信号フィルタ処理、受信された電力の判定、増幅信号の変換、信号の追加などを含む）を実現し、受信および／または送信される信号の利得制御を実現するように構成され得る。
【００４９】
本開示の態様によれば、装置３６０は、リピータとして動作するように構成されてよく、処理システム３７４は、リピータに関係する動作を実行するように構成されてよい。したがって、処理システム３７４を備える装置３６０は、本明細書で提供する本開示の態様を実施するように構成され得る。
【００５０】
本開示の態様によれば、リピータは、ワイヤレスカバレージの制限を解決するように配置され得る。一般に、リピータは、弱い入来信号(incoming signal)を受信し、受信された信号を増幅し、増幅信号を対象受信機に再送信する。全二重ソリューション(a full duplex solution)では、処理および内部的な伝搬の遅延または意図的な小さい時間オフセットを除いて、受信、増幅、および送信は同時に発生し得る。場合によっては、信号の受信および送信が同じ周波数で起きるときに問題が生じることがあり、その理由は、送信された信号も所望の受信信号と同時に受信されて、干渉がもたらされ得ることにある。もたらされる干渉は、必ずしも対象受信機にとって有害であるとは限らない所望の信号の複製と見なされることがあるが、リピータの動作の観点からは、干渉は、安定性の問題をもたらす正のフィードバックを作り得る。
【００５１】
いくつかの状況では、干渉を低減する１つの技法は、送信された信号を結合された受信信号および干渉から減算する方法であり、これは、送信された信号が通常はリピータに知られていることから、可能であると考えられ得る。この技法は、干渉消去(interference cancellation)と呼ばれ得る。
【００５２】
送信された信号は知られているが、送信された信号にはいくつかの変化、たとえば、振幅および位相の変化、時間遅延が、リピータの送信機から受信機への伝搬に起因して生じるという点で、起こり得る問題は、この干渉消去技法により生じ得る。この伝搬経路は、フィードバックチャネルと呼ばれ得る。送信信号特性に関連する干渉を減算するためには、フィードバックチャネルを測定し推定する必要がある。
【００５３】
送信された信号は知られているので、フィードバックチャネルは、送信された信号をその受信された複製(replica)と比較することによって推定され得る。しかしながら、このプロセスでは、受信された所望の信号は干渉の働きをすることがある。そのような干渉は、チャネルプロービング信号(the channel probing signal)（たとえば、送信された信号）と干渉とが無相関である限り、十分な平均化によって軽減され得る。リピータの場合、チャネルプロービング信号は、有用な信号のスケーリングバージョンまたは遅延バージョンであるので、この条件は、送信された信号からのフィードバックとほぼ同時に到着する分散性チャネルによる遅延バージョンを所望の信号が有するときはいつでも満たされることがない。このタイプの干渉は、長期平均化によって克服されないことがある。
【００５４】
この問題を軽減するために、補助パイロット信号が導入され、送信される信号に追加され得る。補助パイロット信号は、リピータ動作に関与する他の信号のいずれとも相関しないように生成され得る。したがって、無相関信号を長期平均化の対象にして、フィードバックチャネル推定の精度を高めることができる。状況によっては、補助パイロット信号が対象受信機に送信されて、干渉をもたらすことがある。しかしながら、送信される信号全体の電力と比較して、補助パイロット信号の相対的電力が低い限り、そのような干渉の影響は軽度にとどまり得る。
【００５５】
ｃｄｍａ２０００またはＷＣＤＭＡ（登録商標）などの固定チャネル帯域幅システムでは、チャネル帯域幅内で補助パイロット信号と送信される有用な信号との間の一定の電力比を維持する条件は容易に維持され得る。
【００５６】
一方、ＬＴＥ  ＤＬもしくはＷｉＭＡＸ  ＤＬおよびＵＬなどの直交周波数分割多重（ＯＦＤＭ）１システム、またはＬＴＥ  ＵＬなどのシングルキャリア周波数分割多重（ＳＣ−ＦＤＭ）システムでは、送信帯域幅は固定のままではないことがある。この場合、すべての周波数で望ましい電力比制限を維持するために、所望の信号とともに補助パイロット信号の帯域幅は変化する必要がある。ある場合には、所望の信号によって占有されていない周波数で補助パイロット信号を送信すると、他の非対象ユーザに対する許容できないレベルの干渉が生じることがある。
【００５７】
したがって、本開示の態様によれば、以下の特性を有する補助パイロット信号をフィードバックチャネル推定に用いる必要がある。補助パイロット信号は、増幅される信号とほぼ同じ帯域幅を有し、補助パイロット信号は、増幅される信号に対する十分に制御された電力比を有する。
【００５８】
リピータによって増幅される信号は、たとえば、ＬＴＥ  ＵＬの場合に様々なＵＥによって送信されることに起因して、サブバンドごとに異なる電力スペクトル密度を有し得るので、補助パイロット信号も可変電力スペクトル密度(different power spectral densities)を有し、それにより、制御されたバックオフ(back-off)を伴って信号電力スペクトル密度に従うことになる。上記の２つの要件は、帯域幅および／または電力スペクトルプロファイル(power spectrum profile)の点で、増幅される信号の特性がリピータに知られている場合に満たされ得る。信号増幅、フィードバックチャネル推定、および補助パイロット信号生成の同時的性質により、増幅される信号の特性の知識は一般には前提とされない。
【００５９】
本開示の態様によれば、全二重同一チャネルリピータにおける自己干渉の消去の目的上、フィードバックチャネル推定を支援するために、送信される信号（すなわち、増幅信号または反復信号）に追加のパイロット信号（すなわち、補助パイロット信号）が追加され得る。それにより、本開示の態様は、次のように１つまたは複数の特性を備える補助パイロット信号として提供する。補助パイロット信号はリピータに知られている。補助パイロット信号には、増幅される信号との時間領域相関がほとんどまたはまったくない。補助パイロット信号は、増幅される信号とほぼ同じ帯域幅を有する。増幅される信号が可変電力スペクトル密度を有し、かつ／または増幅される信号が複数の可能な非連続帯域幅クラスタを有する場合、補助パイロット信号の電力スペクトル密度は、増幅される信号の電力スペクトル密度に対する確定した関係を有する。たとえば、補助パイロット信号は、いくつかの状況における線形スケーリングを除いて、増幅される信号とほぼ同じ電力スペクトル密度を有し得る。したがって、本開示の態様は、補助パイロット信号として増幅される信号の変形バージョンを使用することを実現する。
【００６０】
本開示の一態様では、一技法は、送信される信号の特性の事前通知をリピータに提供することを備え得る。この事前通知は、送信される信号をスケジュールするエンティティ、たとえばｅＮＢによって、または信号を実際に送信するエンティティ、たとえばＵＥ（ＵＬ）もしくはｅＮＢ（ＤＬ）から提供され得る。しかしながら、事前通知を提供することは、やや複雑で、リピータにとってのネットワーク透明性を低下させることがある。
【００６１】
本開示の別の態様では、別の技法は、補助パイロット信号と増幅される信号との間に時間領域相関をほとんどまたはまったく有しないという問題を抱えて、増幅される信号に基づいて補助パイロット信号を生成することを備え得る。
【００６２】
本開示のさらに別の態様では、別の好ましい技法は、増幅される信号の周波数変換によって補助パイロット信号を生成することを備え得る。一実装形態では、周波数変換がＯＦＤＭまたはＳＣ−ＦＤＭシステムにおけるサブキャリア周波数間隔（たとえば、ＬＴＥにおける１５ｋＨｚ）の倍数によるとき、シフトの前後の信号は、時間領域において実質的に無相関になる。別の実装形態では、周波数変換がＯＦＤＭまたはＳＣ−ＦＤＭシステムにおけるサブキャリア周波数間隔の小さい倍数（たとえば、ＬＴＥにおける１×１５ｋＨｚ）による限り、シフトの前後の信号は、信号帯域幅が非連続クラスタを備える場合でも、実質的に同じ帯域幅を占める。さらに別の実装形態では、増幅される信号が複数の可能な非連続帯域幅クラスタを有する場合、および／または増幅される信号が可変電力スペクトル密度を有する場合、補助パイロット信号の電力スペクトル密度は、増幅される信号の電力スペクトル密度に対する確定した関係を有する。
【００６３】
本開示の態様は、補助パイロット信号がリピータに知られていることを条件とする。この基準を満たすために、次の手法が利用され得る。たとえば、デジタル信号処理（ＤＳＰ）領域において、ある段階で送信される最新の信号を取り出すことによって、補助パイロット信号の分岐が作成され得る。補助パイロット信号の分岐のデジタル領域において周波数シフトが実行され得る。たとえば、周波数シフトは、逆高速フーリエ変換（ＩＦＦＴ）演算の前にトーンをシフトさせることによって実行され得る。別の例では、周波数シフトは、ＩＦＦＴ演算の後の定速信号（constant rate signal）の回転(rotation)によって実行され得る。生成された補助パイロット信号のサンプルが記憶され得る。送信される信号は、デジタル領域において補助パイロット信号のサンプルに足され、結合信号(combined signal)は、さらなる送信処理に使用され得る。結合信号は、受信機における後の減算のために記憶され得るか、または増幅される信号は、別個に記憶され得る。記憶された補助パイロット信号は、受信機におけるフィードバックチャネル推定に使用され得る。記憶された結合信号（またはパイロット信号および増幅される記憶された信号）は、干渉消去に使用され得る。
【００６４】
補助パイロット信号がリピータに知られていることを条件とする他の実装形態が利用されてよいことを諒解されたい。たとえば、増幅される信号に時間遅延または時間遅延パターンが適用されて、補助パイロット信号が生成され得る。しかしながら、この手法は、信号相関問題に直面し得る。別の例では、奇数調波項（odd harmonic term）を有する多項式などの非線形変換が利用され得る。たとえば、補助パイロット信号は、３次相互変調項(a 3rd order intermodulation term)ｐ（ｔ）＝ｃ・ｘ3（ｔ）として生成されることがあり、ここで、生成される補助パイロット信号の電力の一部分は、増幅される信号の帯域幅内にとどまる。しかしながら、この手法は、複雑な処理を伴い、電力のかなりの部分が相互変調積(intermodulation products)として非占有帯域幅(non-occupied bandwidth)に漏れることがあり、不均一な電力スペクトル密度プロファイルの場合に、補助パイロット信号と増幅される信号との電力比が固定でなく、十分に制御されないことがあり、３ｘ高調波周波数で生じる相当な電力が追加のフィルタ処理を必要とすることがある。補助パイロット信号を生成するために増幅される信号の他の変形も可能であり、本開示によってカバーされるように意図されていることを諒解されたい。
【００６５】
周波数シフトが無相関信号をもたらさない状況もあることを諒解されたい。これらの状況は空間処理を必要とし得る。たとえば、ＬＴＥ  ＤＬで使用されるような空間周波数ブロックコード（ＳＦＢＣ）ソリューションは、連続する（タイムマッピングの前の）シンボルにわたって共同プリコーディングを利用する。これは、隣接するトーンに相関をもたらすことがある。生じ得る問題を克服するために、ＤＬにおける固定補助パイロット信号(a fixed auxiliary pilot signal)が使用され得る。これは、ＤＬ帯域幅の変動がＵＬと比較して小さくなり得るので十分である。したがって、この場合にＵＬにおいてのみ周波数シフトが使用され得る。
【００６６】
別の例では、ＵＬ復調基準信号（ＤＭ−ＲＳ）がＣｈｕ−Ｚａｄｏｆｆシーケンスを使用し、Ｃｈｕ−Ｚａｄｏｆｆシーケンスはそれらの周波数シフトバージョンと時間相関する。生じ得る問題を克服するために、ＤＭ−ＲＳシンボルに対応する期間が補助パイロット信号生成から除外され得る。先行するデータシンボルが補助パイロット信号生成に使用され得る。パイロット信号シンボルは、所与のスロットにおける最初のシンボルではない場合があるので、この手法が一般に利用され得る。この手法は、リピータがＵＬシステム時間に関するおおよその知識を有することを前提とし得ることを諒解されたい。
【００６７】
別の例では、物理アップリンク制御チャネル（ＰＵＣＣＨ）フォーマット１および２がデータ用Ｃｈｕ−Ｚａｄｏｆｆシーケンスを使用し、Ｃｈｕ−Ｚａｄｏｆｆシーケンスはそれらの周波数シフトバージョンと時間相関する。生じ得る問題を克服するために、補助パイロット信号がたとえばシンボル境界において周期的に反転し得る。反転信号に対してオーバーラップ加算演算を行って、放出問題(emission problems)を最小化することができることを諒解されたい。ＰＵＣＣＨフォーマット１ＯＣＣ（直交カバーコード）と合致しない周期的パターンが使用され得る。たとえば、予約済みフォーマット１ＯＣＣが非短縮ＰＵＣＣＨフォーマットで使用され得る。注１を参照のこと。
【００６８】
別の例では、物理ランダムアクセスチャネル（ＰＲＡＣＨ）がデータ用Ｃｈｕ−Ｚａｄｏｆｆシーケンスを使用し、Ｃｈｕ−Ｚａｄｏｆｆシーケンスはそれらの周波数シフトバージョンと時間相関する。生じ得る問題を克服するために、この問題の影響を最も受けにくいＰＲＡＣＨ構成が、高ドップラーＰＲＡＣＨ構成と同様の方法で使用され得る。
【００６９】
別の例では、サウンディング基準信号（ＳＲＳ）がＣｈｕ−Ｚａｄｏｆｆシーケンスを使用し、Ｃｈｕ−Ｚａｄｏｆｆシーケンスはそれらの周波数シフトバージョンと時間相関する。しかしながら、周波数の組合せにより、補助パイロット信号は別のＵＥのＳＲＳ送信に干渉することがある。生じ得る問題を克服するために、ＳＲＳシンボルが補助パイロット信号生成から除外され得る。これは、リピータによってサービスされるＵＥがＳＲＳを送信するときにのみ問題を生じさせることがあるので、ＵＥの送信とは無関係な所定の補助パイロット信号をリピータが挿入できる予約済みＳＲＳリソースがあり得る。注２を参照のこと。
【００７０】
注１：一例では、３つのＯＣＣｗ1、ｗ2、およびｗ3が占有されており、第４のＯＣＣｗ4が占有されていないと仮定する。占有されているＯＣＣは、複数のＵＥによって利用され得る。その場合、増幅される信号は、ｓ＝ｃ1・ｗ1＋ｃ2・ｗ2＋ｃ3・ｗ3である。
【００７１】
補助パイロット信号としてｐ＝ｗ4・ｆ（ｓ）を使用する。ここでｆ（ｓ）は周波数シフト演算を表す。フィードバックチャネル推定の場合、信号をｐ*、すなわちｐの複素共役によって逆拡散する。対象受信機の場合、補助パイロット信号は、直交し、たとえば、次のようになる。
【数１】
0005937220.tif 000002
【００７２】
式中、加算がシンボルインデックスｌに対して行われ、加算限度はＯＣＣの長さに対応する。
【００７３】
注２：この手法は、限定的なフィードバックチャネル推定ＳＮＲのみを提供し得るが、（ＳＲＳ以外の）送信がない場合を別にすれば、これは達成可能な最良のＳＮＲである。
【００７４】
以下の説明は、周波数ホッピング(Frequency Hopping)に関する。必要とされるフィードバックチャネル推定の精度を達成するために長時間積分（long integration）を利用するには、信号帯域幅は実質的に安定している必要がある。この条件は、ＬＴＥ  ＵＬの場合には一般に当てはまらない。しかしながら、ｅＮＢは、フィードバックチャネル推定性能(the feedback channel estimation performance)を改善するために次の措置を講じることができる。
【００７５】
たとえば、動的確認応答（ＡＣＫ）に割り振られる帯域幅が最小化され得る。これによりリピータは、ＰＵＣＣＨ周波数ホップに関係なく、動的ＡＣＫ領域におけるフィードバックチャネルの以前の推定値を使用することが可能になり、その理由は、ホッピングが狭帯域および各チャネル端に制限され得ることにある。リピータを通して接続されたＵＥには、ＰＵＳＣＨ周波数ホッピングが使用されるべきではない。リピータを通して接続されたＵＥには、静的ＰＵＳＣＨ周波数割振りが使用され得る。
【００７６】
本開示の態様によれば、補助パイロット信号は、時間領域スクランブリング(time domain scrambling)により処理されることがあり、この場合に、時間領域スクランブリングシーケンス期間(time domain scrambling sequence periods)は増幅信号のシンボル期間と一致し得る。この時間領域スクランブリングシーケンスは、増幅信号において使用される時間領域スクランブリングシーケンスのうちの少なくとも１つに直交し得る。様々な実装形態では、増幅信号において使用される時間領域スクランブリングシーケンスのうちの少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーを備えることができる。一実装形態では、時間領域スクランブリングシーケンスは、シーケンス［＋ｃ＋ｃ−ｃ−ｃ］（ｃは定数）を備えることができる。
【００７７】
リピータを通してＵＥが接続されているかどうかをｅＮＢが判断するのは簡単ではない場合があることを諒解されたい。たとえば、いくつかのＵＬリピータの「ウォーターマーキング」、すなわち、転送される信号の意図的な改変が、この問題への対処に使用され得る。ウォーターマーキングは、所定の変調信号パターンによる増幅信号の位相または周波数の変調を含み得る。
【００７８】
以下の説明は、パルス整形に関する。小さい時間領域サイドローブ(time domain sidelobes)を有する補助パイロット信号を使用することは有益であり得る。これは、フィードバックチャネル自体が分散性を有し得るので有用であることがある。この状況では、遅延する経路を信号サイドローブから区別することが、さらなる問題となり得る。サイドローブのピークが小さいほど、問題も小さいと予想され得る。
【００７９】
帯域制限されたいかなる信号でも、サイドローブは常に存在し得ることに留意されたい。ただし、帯域幅制限が同じである場合、サイドローブの減衰因子（decay factor）は、信号設計（パルス整形）によって異なり得る。
【００８０】
サイドローブ振幅を低減するための一般的なソリューションは、パルス整形フィルタを使用することである。たとえば、パルス整形フィルタの好都合な適用は、デジタルアナログ（Ｄ／Ａ）変換の前にアップサンプリングフィルタの一部となることである。この手法は、決定性補助パイロット信号に直接適用され得る。補助パイロット信号は、増幅される信号にパイロット信号を追加または結合する前に、低減されたサイドローブ振幅のために設計され得る別個のアップサンプリングフィルタ段階を経験し得る。
【００８１】
だが、上記の手法は、周波数シフト手法とは上手く連携しないことがあり、その理由は、補助パイロット信号の導出元となる増幅される信号が大きいサイドローブをすでに備え得ることにある。この問題を解決するために、信号等化(signal equalization)が使用され得るが、これは、相当な複雑性の増大を示すことがあり、複数のソースからの信号（たとえば、複数のＵＥからの信号）が存在する場合には実行困難なことがある。
【００８２】
振幅が著しいサイドローブの場合でも、補助パイロット信号のサイドローブは、記憶されたパイロット信号において十分に捕捉され得るので、精度が良好なフィードバックチャネル推定は依然として可能であり得ることに留意されたい。フィードバックチャネルは、振幅が大きいサイドローブを送信信号が有する場合でも、受信された信号を送信信号の完全な複製と比較することにより正確に観察され得る。したがって、低いサイドローブ信号の使用は、信号処理の複雑性を低減するための本質的でない最適化を備え得る。
【００８３】
図４に、本開示の態様による、ワイヤレス通信を促進するための方法４００を示す図を示す。図４を参照すると、本方法は、４１０においてリピータのドナーアンテナを介してリモート信号を受信することを備え得る。４１２において、本方法は、受信されたリモート信号を増幅することによって増幅信号を生成することを備え得る。４１４において、本方法は、チャネルフィードバック(channel feedback)を推定するために増幅信号の変換によって補助パイロット信号を生成することであって、増幅信号とは実質的に無相関である補助パイロット信号を生成することを備え得る。４１６において、本方法は、補助パイロット信号を増幅信号と結合することによって、送信するための送信信号を生成することを備え得る。４１８において、本方法は、リピータのサーバアンテナを介して送信信号を送信することを備え得る。
【００８４】
一実装形態では、図４の方法を参照すると、変換は、補助パイロット信号を生成するための増幅信号の周波数変換を備え得る。周波数変換は、ＯＦＤＭシステムまたはＳＣ−ＦＤＭシステムにおけるサブキャリア周波数間隔の倍数によって生成されてよく、この場合にシフトの前後の信号は、時間領域において実質的に無相関になる。サブキャリア周波数間隔は、およそ５ｋＨｚから２５ｋＨｚの範囲内にあり得る。サブキャリア周波数間隔は、およそ１５ｋＨｚであり得る。変換は、補助パイロット信号を生成するための増幅信号の非線形変換を備えることができる。
【００８５】
一実装形態では、図４を参照すると、本方法は、送信された信号の複製をリピータのドナーアンテナを介して受信することと、周波数変換によってリアルタイムで、送信された信号の受信された複製から補助パイロット信号を抽出することと、抽出された補助パイロット信号に基づいてチャネルフィードバックを推定することとをさらに備え得る。
【００８６】
様々な実装形態では、図４の方法を参照すると、増幅信号および補助パイロット信号は、時間領域相関を有しない形で生成され得る。増幅信号および補助パイロット信号は、同様の帯域幅を有する形で生成され得る。増幅信号および補助パイロット信号は、安定した帯域幅を有する形で生成され得る。安定した帯域幅動作を有する形で生成することは、生成された信号がリピータを通して受信されることに応答したものであり得る。補助パイロット信号の帯域幅は、増幅信号の帯域幅によって変わるように生成され得る。補助パイロット信号は、増幅信号の電力スペクトル密度によって変わる電力スペクトル密度を有する形で生成され得る。補助パイロット信号は、小さい時間領域サイドローブを有する形で生成され得る。
【００８７】
図５に、本開示の態様による、ワイヤレス通信を促進するように構成された、リピータなどの装置５００の機能を示す図を示す。本装置は、リピータのドナーアンテナを介してリモート信号を受信するように構成されたモジュール５１０を含むことができる。本装置は、受信されたリモート信号を増幅することによって増幅信号を生成するように構成されたモジュール５１２を含むことができる。本装置は、チャネルフィードバックを推定するために増幅信号の変換によって補助パイロット信号を生成することであって、増幅信号とは実質的に無相関である補助パイロット信号を生成することを行うように構成されたモジュール５１４を含むことができる。本装置は、補助パイロット信号を増幅信号と結合することによって、送信するための送信信号を生成するように構成されたモジュール５１６を含むことができる。本装置は、リピータのサーバアンテナを介して送信信号を送信するように構成されたモジュール５１８を含むことができる。様々な実装形態では、本装置は、上述のフローチャート中のステップの各々を実行する追加のモジュールを含み得る。したがって、上述のフローチャート中の各ステップは、１つのモジュールによって実行され得、本装置は、それらのモジュールのうちの１つまたは複数を含み得る。
【００８８】
一実装形態では、図５の装置を参照すると、変換は、補助パイロット信号を生成するための増幅信号の周波数変換を備え得る。周波数変換は、ＯＦＤＭシステムまたはＳＣ−ＦＤＭシステムにおけるサブキャリア周波数間隔の倍数によって生成されてよく、この場合にシフトの前後の信号は、時間領域において実質的に無相関になる。サブキャリア周波数間隔は、およそ５ｋＨｚから２５ｋＨｚの範囲内にあり得る。サブキャリア周波数間隔は、およそ１５ｋＨｚであり得る。変換は、補助パイロット信号を生成するための増幅信号の非線形変換を備えることができる。
【００８９】
一実装形態では、図５を参照すると、本装置は、送信された信号の複製をリピータのドナーアンテナを介して受信するように構成されたモジュールと、周波数変換によってリアルタイムで、送信された信号の受信された複製から補助パイロット信号を抽出するように構成されたモジュールと、抽出された補助パイロット信号に基づいてチャネルフィードバックを推定するように構成されたモジュールとをさらに備え得る。
【００９０】
様々な実装形態では、図５の装置を参照すると、増幅信号および補助パイロット信号は、時間領域相関を有しない形で生成され得る。増幅信号および補助パイロット信号は、同様の帯域幅を有する形で生成され得る。増幅信号および補助パイロット信号は、安定した帯域幅を有する形で生成され得る。安定した帯域幅動作を有する形で生成することは、生成された信号がリピータを通して受信されることに応答したものであり得る。補助パイロット信号の帯域幅は、増幅信号の帯域幅によって変わるように生成され得る。補助パイロット信号は、増幅信号の電力スペクトル密度によって変わる電力スペクトル密度を有する形で生成され得る。補助パイロット信号は、小さい時間領域サイドローブを有する形で生成され得る。
【００９１】
図３Ａを参照すると、一構成では、ワイヤレス通信のための装置は、リピータ３２０のドナーアンテナ３３０を介してリモート信号を受信するための手段と、受信されたリモート信号を増幅することによって増幅信号を生成するための手段と、チャネルフィードバックを推定するために増幅信号の変換によって補助パイロット信号を生成するための手段であって、増幅信号とは実質的に無相関である補助パイロット信号を生成するための手段と、補助パイロット信号を増幅信号と結合することによって、送信するための送信信号を生成するための手段とを提供するリピータ３２０を備える。
【００９２】
図３Ａを参照すると、一実装形態では、ワイヤレス通信のための装置は、リピータ３２０のサーバアンテナ３４０を介して送信信号を送信するための手段をさらに備えることができる。別の実装形態では、ワイヤレス通信のための装置は、送信された信号の複製をリピータ３２０のドナーアンテナ３３０を介して受信するための手段と、周波数変換によってリアルタイムで、送信された信号の受信された複製から補助パイロット信号を抽出するための手段と、抽出された補助パイロット信号に基づいてチャネルフィードバックを推定するための手段とをさらに備え得る。
【００９３】
図３Ｂを参照すると、一実装形態では、ワイヤレス通信のための装置は、リピータ３６０のトランシーバ３７０（たとえば、ドナーアンテナ）を介してリモート信号を受信することと、受信されたリモート信号を増幅することによって増幅信号を生成することと、チャネルフィードバックを推定するために増幅信号の変換によって補助パイロット信号を生成することであって、増幅信号とは実質的に無相関である補助パイロット信号を生成することと、補助パイロット信号を増幅信号と結合することによって、送信するための送信信号を生成することとを行うように構成された処理システム３７４を備えるリピータ３６０を備えることができる。
【００９４】
図３Ｂを参照すると、一実装形態では、処理システム３７４は、リピータ３６０のトランシーバ３７０（たとえば、サーバアンテナ）を介して送信信号を送信するようにさらに構成され得る。別の実装形態では、処理システム３７４は、送信された信号の複製をリピータ３６０のトランシーバ３７０（たとえば、ドナーアンテナ）を介して受信することと、周波数変換によってリアルタイムで、送信された信号の受信された複製から補助パイロット信号を抽出することと、抽出された補助パイロット信号に基づいてチャネルフィードバックを推定することとを行うようにさらに構成され得る。
【００９５】
本明細書で説明する１つまたは複数の態様によれば、本明細書で説明する機能を実行することに関して、またはかかる機能を実行するために推論を行うことができることを諒解されたい。本明細書で利用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に近接して相関するか否かにかかわらず、また事象およびデータが１つまたは複数の事象およびデータの発生源に由来するかどうかにかかわらず、観測された事象および／または記憶された事象データのセットから新しい事象またはアクションが構成される。
【００９６】
開示したプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００９７】
情報および信号は様々な異なる技術および技法のいずれかを利用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９８】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装できることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００９９】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１００】
本明細書で開示する実施形態に関して説明する方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。プロセッサおよび記憶媒体はＡＳＩＣ中に存在することができる。ＡＳＩＣは、ＵＥ中に存在することができる。代替として、プロセッサおよび記憶媒体はＵＥ中の個別部品として存在することができる。
【０１０１】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。
【０１０２】
当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「ための手段」という語句を利用して明白に具陳されていない限り、または方法クレームの場合には、その要素が「ためのステップ」という語句を利用して具陳されていない限り、米国特許法第１１２条第６項の規定に基づいて解釈されるべきではない。
以下に、出願当初の特許請求の範囲に記載された発明を付記する。
[Ｃ１]
ワイヤレス通信のための方法であって、
リピータのドナーアンテナを介してリモート信号を受信することと、
前記受信されたリモート信号を増幅することによって増幅信号を生成することと、
チャネルフィードバックを推定するために前記増幅信号の変換によって補助パイロット信号を生成することであって、前記増幅信号とは実質的に無相関である前記補助パイロット信号を生成することと、
前記補助パイロット信号を前記増幅信号と結合することによって、送信するための送信信号を生成することと
を備える方法。
[Ｃ２]
前記変換は、前記補助パイロット信号を生成するための前記増幅信号の周波数変換を備える、Ｃ１に記載の方法。
[Ｃ３]
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、この場合にシフトの前後の前記信号は、時間領域において実質的に無相関になる、Ｃ２に記載の方法。
[Ｃ４]
前記サブキャリア周波数間隔はおよそ１５ｋＨｚである、Ｃ３に記載の方法。
[Ｃ５]
前記変換は、前記補助パイロット信号を生成するための前記増幅信号の非線形変換を備える、Ｃ１に記載の方法。
[Ｃ６]
前記リピータのサーバアンテナを介して前記送信信号を送信することをさらに備える、Ｃ１に記載の方法。
[Ｃ７]
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
をさらに備える、Ｃ１に記載の方法。
[Ｃ８]
前記増幅信号および前記補助パイロット信号は、時間領域相関を有しない形で生成される、Ｃ１に記載の方法。
[Ｃ９]
前記増幅信号および前記補助パイロット信号は、同様の帯域幅を有する形で生成される、Ｃ１に記載の方法。
[Ｃ１０]
前記増幅信号および前記補助パイロット信号は、安定した帯域幅を有する形で生成される、Ｃ１に記載の方法。
[Ｃ１１]
安定した帯域幅を有する形で前記生成することは、前記生成された信号が前記リピータを通して受信されることに応答したものである、Ｃ１０に記載の方法。
[Ｃ１２]
前記補助パイロット信号の帯域幅は、前記増幅信号の帯域幅によって変わるように生成される、Ｃ１に記載の方法。
[Ｃ１３]
前記補助パイロット信号は、前記増幅信号の電力スペクトル密度によって変わる電力スペクトル密度を有する形で生成される、Ｃ１に記載の方法。
[Ｃ１４]
前記補助パイロット信号は、小さい時間領域サイドローブを有する形で生成される、Ｃ１に記載の方法。
[Ｃ１５]
時間領域スクランブリングにより前記補助パイロット信号を処理することをさらに備える、Ｃ１に記載の方法。
[Ｃ１６]
前記時間領域スクランブリングのシーケンスの期間は前記増幅信号のシンボル期間と一致する、Ｃ１５に記載の方法。
[Ｃ１７]
前記時間領域スクランブリングシーケンスは、前記増幅信号において使用される時間領域スクランブリングシーケンスのうちの少なくとも１つに直交する、Ｃ１６に記載の方法。
[Ｃ１８]
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、Ｃ１７に記載の方法。
[Ｃ１９]
前記時間領域スクランブリングはシーケンス［＋ｃ＋ｃ−ｃ−ｃ］を備え、この場合にｃは定数である、Ｃ１５に記載の方法。
[Ｃ２０]
ワイヤレス通信のための装置であって、
処理システムを備え、前記処理システムは、
リピータのドナーアンテナを介してリモート信号を受信することと、
前記受信されたリモート信号を増幅することによって増幅信号を生成することと、
チャネルフィードバックを推定するために前記増幅信号の変換によって補助パイロット信号を生成することであって、前記増幅信号とは実質的に無相関である前記補助パイロット信号を生成することと、
前記補助パイロット信号を前記増幅信号と結合することによって、送信するための送信信号を生成することと
を行うように構成される、装置。
[Ｃ２１]
前記変換は、前記補助パイロット信号を生成するための前記増幅信号の周波数変換を備える、Ｃ２０に記載の装置。
[Ｃ２２]
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、この場合にシフトの前後の前記信号は、時間領域において実質的に無相関になる、Ｃ２１に記載の装置。
[Ｃ２３]
前記サブキャリア周波数間隔はおよそ１５ｋＨｚである、Ｃ２２に記載の装置。
[Ｃ２４]
前記変換は、前記補助パイロット信号を生成するための前記増幅信号の非線形変換を備える、Ｃ２０に記載の装置。
[Ｃ２５]
前記処理システムは、前記リピータのサーバアンテナを介して前記送信信号を送信するようにさらに構成される、Ｃ２０に記載の装置。
[Ｃ２６]
前記処理システムは、
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
を行うようにさらに構成される、Ｃ２０に記載の装置。
[Ｃ２７]
前記増幅信号および前記補助パイロット信号は、時間領域相関を有しない形で生成される、Ｃ２０に記載の装置。
[Ｃ２８]
前記増幅信号および前記補助パイロット信号は、同様の帯域幅を有する形で生成される、Ｃ２０に記載の装置。
[Ｃ２９]
前記増幅信号および前記補助パイロット信号は、安定した帯域幅を有する形で生成される、Ｃ２０に記載の装置。
[Ｃ３０]
安定した帯域幅を有する形で前記生成することは、前記生成された信号が前記リピータを通して受信されることに応答したものである、Ｃ２９に記載の装置。
[Ｃ３１]
前記補助パイロット信号の帯域幅は、前記増幅信号の帯域幅によって変わるように生成される、Ｃ２０に記載の装置。
[Ｃ３２]
前記補助パイロット信号は、前記増幅信号の電力スペクトル密度によって変わる電力スペクトル密度を有する形で生成される、Ｃ２０に記載の装置。
[Ｃ３３]
前記補助パイロット信号は、小さい時間領域サイドローブを有する形で生成される、Ｃ２０に記載の装置。
[Ｃ３４]
前記処理システムは、時間領域スクランブリングにより前記補助パイロット信号を処理するようにさらに構成される、Ｃ２０に記載の装置。
[Ｃ３５]
前記時間領域スクランブリングのシーケンスの期間は前記増幅信号のシンボル期間と一致する、Ｃ３４に記載の装置。
[Ｃ３６]
前記時間領域スクランブリングシーケンスは、前記増幅信号において使用される時間領域スクランブリングシーケンスのうちの少なくとも１つに直交する、Ｃ３５に記載の装置。
[Ｃ３７]
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、Ｃ３６に記載の装置。
[Ｃ３８]
前記時間領域スクランブリングはシーケンス［＋ｃ＋ｃ−ｃ−ｃ］を備え、この場合にｃは定数である、Ｃ３４に記載の装置。
[Ｃ３９]
ワイヤレス通信のための装置であって、
リピータのドナーアンテナを介してリモート信号を受信するための手段と、
前記受信されたリモート信号を増幅することによって増幅信号を生成するための手段と、
チャネルフィードバックを推定するために前記増幅信号の変換によって補助パイロット信号を生成するための手段であって、前記増幅信号とは実質的に無相関である前記補助パイロット信号を生成するための手段と、
前記補助パイロット信号を前記増幅信号と結合することによって、送信するための送信信号を生成するための手段と
を備える装置。
[Ｃ４０]
前記変換は、前記補助パイロット信号を生成するための前記増幅信号の周波数変換を備える、Ｃ３９に記載の装置。
[Ｃ４１]
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、この場合にシフトの前後の前記信号は、時間領域において実質的に無相関になる、Ｃ４０に記載の装置。
[Ｃ４２]
前記サブキャリア周波数間隔はおよそ１５ｋＨｚである、Ｃ４１に記載の装置。
[Ｃ４３]
前記変換は、前記補助パイロット信号を生成するための前記増幅信号の非線形変換を備える、Ｃ３９に記載の装置。
[Ｃ４４]
前記リピータのサーバアンテナを介して前記送信信号を送信するための手段をさらに備える、Ｃ３９に記載の装置。
[Ｃ４５]
前記送信された信号の複製を前記リピータの前記ドナーアンテナを介して受信するための手段と、
周波数変換によってリアルタイムで、前記送信された信号の前記受信された複製から前記補助パイロット信号を抽出するための手段と、
前記抽出された補助パイロット信号に基づいてチャネルフィードバックを推定するための手段と
をさらに備える、Ｃ３９に記載の装置。
[Ｃ４６]
前記増幅信号および前記補助パイロット信号は、時間領域相関を有しない形で生成される、Ｃ３９に記載の装置。
[Ｃ４７]
前記増幅信号および前記補助パイロット信号は、同様の帯域幅を有する形で生成される、Ｃ３９に記載の装置。
[Ｃ４８]
前記増幅信号および前記補助パイロット信号は、安定した帯域幅を有する形で生成される、Ｃ３９に記載の装置。
[Ｃ４９]
安定した帯域幅を有する形で前記生成することは、前記生成された信号が前記リピータを通して受信されることに応答したものである、Ｃ４８に記載の装置。
[Ｃ５０]
前記補助パイロット信号の帯域幅は、前記増幅信号の帯域幅によって変わるように生成される、Ｃ３９に記載の装置。
[Ｃ５１]
前記補助パイロット信号は、前記増幅信号の電力スペクトル密度によって変わる電力スペクトル密度を有する形で生成される、Ｃ３９に記載の装置。
[Ｃ５２]
前記補助パイロット信号は、小さい時間領域サイドローブを有する形で生成される、Ｃ３９に記載の装置。
[Ｃ５３]
時間領域スクランブリングにより前記補助パイロット信号を処理するための手段をさらに備える、Ｃ３９に記載の装置。
[Ｃ５４]
前記時間領域スクランブリングのシーケンスの期間は前記増幅信号のシンボル期間と一致する、Ｃ５３に記載の装置。
[Ｃ５５]
前記時間領域スクランブリングシーケンスは、前記増幅信号において使用される時間領域スクランブリングシーケンスのうちの少なくとも１つに直交する、Ｃ５４に記載の装置。
[Ｃ５６]
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、Ｃ５５に記載の装置。
[Ｃ５７]
前記時間領域スクランブリングはシーケンス［＋ｃ＋ｃ−ｃ−ｃ］を備え、この場合にｃは定数である、Ｃ５３に記載の装置。
[Ｃ５８]
コンピュータ可読媒体を備えるコンピュータプログラム製品であって、前記コンピュータ可読媒体は、
リピータのドナーアンテナを介してリモート信号を受信することと、
前記受信されたリモート信号を増幅することによって増幅信号を生成することと、
チャネルフィードバックを推定するために前記増幅信号の変換によって補助パイロット信号を生成することであって、前記増幅信号とは実質的に無相関である前記補助パイロット信号を生成することと、
前記補助パイロット信号を前記増幅信号と結合することによって、送信するための送信信号を生成することと
を装置に行わせるように実行可能なコード備える、コンピュータプログラム製品。
[Ｃ５９]
前記変換は、前記補助パイロット信号を生成するための前記増幅信号の周波数変換を備える、Ｃ５８に記載のコンピュータプログラム製品。
[Ｃ６０]
前記周波数変換は、直交周波数分割多重（ＯＦＤＭ）システムまたはシングルキャリア周波数分割多重（ＳＣ−ＦＤＭ）システムにおけるサブキャリア周波数間隔の倍数によって生成され、この場合にシフトの前後の前記信号は、時間領域において実質的に無相関になる、Ｃ５９に記載のコンピュータプログラム製品。
[Ｃ６１]
前記サブキャリア周波数間隔はおよそ１５ｋＨｚである、Ｃ６０に記載のコンピュータプログラム製品。
[Ｃ６２]
前記変換は、前記補助パイロット信号を生成するための前記増幅信号の非線形変換を備える、Ｃ５８に記載のコンピュータプログラム製品。
[Ｃ６３]
前記コンピュータ可読媒体は、前記リピータのサーバアンテナを介して前記送信信号を送信することを前記装置に行わせるように実行可能なコードをさらに備える、Ｃ５８に記載のコンピュータプログラム製品。
[Ｃ６４]
前記コンピュータ可読媒体は、
前記送信された信号の複製を前記リピータの前記ドナーアンテナを介して受信することと、
周波数変換によってリアルタイムで、前記送信された信号の前記受信された複製から前記補助パイロット信号を抽出することと、
前記抽出された補助パイロット信号に基づいてチャネルフィードバックを推定することと
を前記装置に行わせるように実行可能なコードをさらに備える、Ｃ５８に記載のコンピュータプログラム製品。
[Ｃ６５]
前記増幅信号および前記補助パイロット信号は、時間領域相関を有しない形で生成される、Ｃ５８に記載のコンピュータプログラム製品。
[Ｃ６６]
前記増幅信号および前記補助パイロット信号は、同様の帯域幅を有する形で生成される、Ｃ５８に記載のコンピュータプログラム製品。
[Ｃ６７]
前記増幅信号および前記補助パイロット信号は、安定した帯域幅を有する形で生成される、Ｃ５８に記載のコンピュータプログラム製品。
[Ｃ６８]
安定した帯域幅を有する形で前記生成することは、前記生成された信号が前記リピータを通して受信されることに応答したものである、Ｃ６７に記載のコンピュータプログラム製品。
[Ｃ６９]
前記補助パイロット信号の帯域幅は、前記増幅信号の帯域幅によって変わるように生成される、Ｃ５８に記載のコンピュータプログラム製品。
[Ｃ７０]
前記補助パイロット信号は、前記増幅信号の電力スペクトル密度によって変わる電力スペクトル密度を有する形で生成される、Ｃ５８に記載のコンピュータプログラム製品。
[Ｃ７１]
前記補助パイロット信号は、小さい時間領域サイドローブを有する形で生成される、Ｃ５８に記載のコンピュータプログラム製品。
[Ｃ７２]
前記コンピュータ可読媒体は、時間領域スクランブリングにより前記補助パイロット信号を処理することを前記装置に行わせるように実行可能なコードをさらに備える、Ｃ５８に記載のコンピュータプログラム製品。
[Ｃ７３]
前記時間領域スクランブリングのシーケンスの期間は前記増幅信号のシンボル期間と一致する、Ｃ７２に記載のコンピュータプログラム製品。
[Ｃ７４]
前記時間領域スクランブリングシーケンスは、前記増幅信号において使用される時間領域スクランブリングシーケンスのうちの少なくとも１つに直交する、Ｃ７３に記載のコンピュータプログラム製品。
[Ｃ７５]
前記増幅信号において使用される前記時間領域スクランブリングシーケンスのうちの前記少なくとも１つは、ＰＵＣＣＨフォーマット１、ＰＵＣＣＨフォーマット１ａ、またはＰＵＣＣＨフォーマット１ｂのうちの少なくとも１つにおいて使用される直交カバーである、Ｃ７４に記載のコンピュータプログラム製品。
[Ｃ７６]
前記時間領域スクランブリングはシーケンス［＋ｃ＋ｃ−ｃ−ｃ］を備え、この場合にｃは定数である、Ｃ７２に記載のコンピュータプログラム製品。
【図１Ａ】
0005937220.tif 000003
【図１Ｂ】
0005937220.tif 000004
【図２】
0005937220.tif 000005
【図３Ａ】
0005937220.tif 000006
【図３Ｂ】
0005937220.tif 000007
【図４】
0005937220.tif 000008
【図５】
0005937220.tif 000009